(57)【特許請求の範囲】
【請求項１】
下水道管路と連通するとともに地表面に開口したマンホール等の地下構造物の地表面開口縁部に蓋体支持枠を介して支持されたグレーチング等の通気性蓋体と、該通気性蓋体下に配置されて前記地下構造物内を通気性蓋体側と下水道管路側とに隔離する圧力調整ユニットとを備え、該圧力調整ユニットは、前記地下構造物内の下水道管路側圧力の上昇により開き方向に動作して前記下水道管路側の圧力を前記通気性蓋体側に開放する逆止弁を有してなる地下構造物の圧力開放装置において、
前記圧力調整ユニットは、前記蓋体支持枠と前記通気性蓋体との間に挟持される固定用張り出し部と、該固定用張り出し部に支持された下向きに突き出した形状の膨出部とを備え、
該膨出部は、前後の幅が上下に亘って同幅の平行であり、左右の幅が上端側が広く下側が狭いテーパー四角筒状に形成された筒状部を有し、
該筒状部の斜め下向きの左右の側壁板のそれぞれに、その幅方向に向けたスリット状をした複数の弁口用孔が上下配置に間隔を置いて開口され、その各弁口用孔の側壁板内側面の開口上縁部に蝶番を介して回動可能に支持されたフラップ板を有し、該フラップ板が前記側壁板上に当接して前記弁口用孔を閉じ、前記地下構造物内の下水道管路側圧力の上昇により、前記側壁の内側でフラップ板が上向きに開き動作されて前記弁口用孔を開くようにした複数の常閉型のフラップ式逆止弁を備えたことを特徴とする地下構造物の圧力開放装置。
【請求項２】
前記膨出部の筒状部の下端には、その前後左右の側壁板の下端を垂下方向に延長させた前後左右の側板からなる角筒状の排水部が形成され、該排水部の下端が閉鎖板により閉鎖されており、前記左右各側板に、その幅方向に向けたスリット状の弁口用孔が開口され、該各弁口用孔の側壁板外側面の開口上縁部に蝶番を介して回動可能に支持されたフラップ板により各弁口用孔が閉じられ、前記通気性蓋体側の圧力上昇により開き方向に動作する常閉型のフラップ式の逆止弁を備えた請求項１に記載の地下構造物の圧力開放装置。
【発明の詳細な説明】
【技術分野】
【０００１】
本発明は、下水道管路と連通したマンホール等の地下構造物内の圧力上昇に応じてその圧力を開放する地下構造物の圧力開放装置に関する。
【背景技術】
【０００２】
従来、下水道には、生活汚水と雨水とが同一の管路を通して処理される合流式下水道と、別々の管路を通して処理される分流式下水道とがあり、その途中には、検査、修繕、清掃等を目的として人が出入りするために地表面に開口したマンホールが設置されている。
【０００３】
このような下水道管路では、集中豪雨により管路内に大量の水が流入する等して管路内の圧力が急上昇する場合があり、その上昇圧力によってマンホールの地表面開口部を閉鎖する金属性の蓋体が飛ばされる虞があった。
【０００４】
その為下水道管路には、この様な急激な圧力上昇に際して管路内の圧力を外部に解放する圧力解放手段を設けることが望ましい。
【０００５】
この圧力解放手段としては、マンホールの地表面開口部を閉鎖する蓋体にグレーチング等の通気性を有する蓋体を用いることも考えられるが、この通気性蓋体を通して下水道管路が常に地上と連通した状態では下水道管路内の臭気が地上に排出されてしまうという問題がある。
【０００６】
そこで、マンホール内の通気性蓋体下に逆止弁を有する圧力調整装置を配置し、通常時にはこの圧力調整装置によりマンホール内の下水道管路側と通気性蓋体側とを遮断しておき、管路内の圧力が上昇した際には、逆止弁を開放側に動作させて下水道管路側の圧力を通気性蓋体側に開放するようにした圧力解放手段が開発されている（例えば、特許文献１）。
【先行技術文献】
【特許文献】
【０００７】
【特許文献１】特開平１１−２８００９６号公報
【発明の概要】
【発明が解決しようとする課題】
【０００８】
しかし、上述した如き従来の技術では、グレーチング等の通気性蓋体と圧力調整装置の双方をマンホール上端の地表面開口部付近に設置するため、圧力調整装置を支持するための装置固定用枠体と通気性蓋体を支持させるための蓋体用枠体とをそれぞれ設けた二重構造とせざるを得ず、構造が複雑で部品点数が多くなりコストが嵩むという問題があった。
【０００９】
また、人がマンホール開口部より出入りする際に、上記の如くマンホールの上端部分が二重構造であるため、出入りするたびに各枠体に対し蓋体及び装置をそれぞれ取り外し又は固定しなければならず、開閉が煩雑であるという問題もあった。
【００１０】
そこで、本発明は、このような従来の問題に鑑み、簡素な構造で圧力開放が可能な地下構造物の圧力開放装置の提供を目的としてなされたものである。
【課題を解決するための手段】
【００１１】
上述の如き従来の問題を解決し、所期の目的を達成するための請求項1に記載の発明の特徴は、下水道管路と連通するとともに地表面に開口したマンホール等の地下構造物の地表面開口縁部に蓋体支持枠を介して支持されたグレーチング等の通気性蓋体と、該通気性蓋体下に配置されて前記地下構造物内を通気性蓋体側と下水道管路側とに隔離する圧力調整ユニットとを備え、該圧力調整ユニットは、前記地下構造物内の下水道管路側圧力の上昇により開き方向に動作して前記下水道管路側の圧力を前記通気性蓋体側に開放する逆止弁を有してなる地下構造物の圧力開放装置において、前記圧力調整ユニットは、前記蓋体支持枠と前記通気性蓋体との間に挟持される固定用張り出し部と、該固定用張り出し部に支持された下向きに突き出した形状の膨出部とを備え、該膨出部は、前後の幅が上下に亘って同幅の平行であり、左右の幅が上端側が広く下側が狭いテーパー四角筒状に形成された筒状部を有し、該筒状部の斜め下向きの左右の側壁板のそれぞれに、その幅方向に向けたスリット状をした複数の弁口用孔が上下配置に間隔を置いて開口され、その各弁口用孔の側壁板内側面の開口上縁部に蝶番を介して回動可能に支持されたフラップ板を有し、該フラップ板が前記側壁板上に当接して前記弁口用孔を閉じ、前記地下構造物内の下水道管路側圧力の上昇により、前記側壁の内側でフラップ板が上向きに開き動作されて前記弁口用孔を開くようにした複数の常閉型のフラップ式逆止弁を上下に間隔を置いて備えたことにある。
【００１２】
請求項２に記載の発明の特徴は、請求項１の構成に加え、前記膨出部の筒状部の下端には、その前後左右の側壁板の下端を垂下方向に延長させた前後左右の側板からなる角筒状の排水部が形成され、該排水部の下端が閉鎖板により閉鎖されており、前記左右各側板に、その幅方向に向けたスリット状の弁口用孔が開口され、該各弁口用孔の側壁板外側面の開口上縁部に蝶番を介して回動可能に支持されたフラップ板により各弁口用孔が閉じられ、前記通気性蓋体側の圧力上昇により開き方向に動作する常閉型のフラップ式の逆止弁を備えたことにある。
【発明の効果】
【００１３】
本発明に係る地下構造物の圧力開放装置は、上述したように、下水道管路と連通するとともに地表面に開口したマンホール等の地下構造物の地表面開口縁部に蓋体支持枠を介して支持されたグレーチング等の通気性蓋体と、該通気性蓋体下に配置されて前記地下構造物内を通気性蓋体側と下水道管路側とに隔離する圧力調整ユニットとを備え、該圧力調整ユニットは、前記地下構造物内の下水道管路側圧力の上昇により開き方向に動作して前記下水道管路側の圧力を前記通気性蓋体側に開放する逆止弁を有してなる地下構造物の圧力開放装置において、前記圧力調整ユニットは、前記蓋体支持枠と前記通気性蓋体との間に挟持される固定用張り出し部と、該固定用張り出し部に支持された下向きに突き出した形状の膨出部とを備え、該膨出部に前記逆止弁を配置したことにより、複雑な二重構造をとらなくとも、通気性蓋体及び圧力調整ユニットとを一つの支持枠に固定することができ、安価に設置することができるとともに、出入作業が容易となる。
【００１４】
また本発明において、膨出部は、上下方向に向けた筒状部を有し、該筒状部は、互いに対向する前後又は左右の側壁板間の間隔を上側が広く、下側が狭くなるように配置したテーパー状の四角筒状に形成されたことにより、逆止弁の弁口開口面積を広く取るとことができ、好適に圧力解放ができる。
【００１５】
さらに本発明において、圧力調整ユニットが、通気性蓋体側の圧力上昇により開き方向に動作する逆止弁を備えたことにより、通気性蓋体を通じて流入した雨水等を下水道管路側に排出することができ、圧力調整ユニット内に水が滞ることを防止することができる。
【００１６】
更にまた本発明において、前記逆止弁は、常閉型のフラップ式逆止弁であることにより、簡易な構造で好適且つ安価に圧力調整ができる。
【図面の簡単な説明】
【００１７】
【図１】本発明に係る圧力開放装置を備えた地下構造物の一例を示す断面図である。
【図２】図１中の地表面部を示す平面図である。
【図３】同上の通気性蓋体を取り外した状態を示す平面図である。
【図４】図１中の地表開口部付近の状態を示す縦断面図である。
【図５】図４中のＡ−Ａ線断面図である。
【図６】同上の地表面開口部の蓋体支持部分を示す部分拡大断面図である。
【図７】図４中のＢ−Ｂ線断面図である。
【図８】図１中の圧力開放ユニットの一例を示す正面図である。
【図９】同上の平面図である。
【図１０】同上の側面図である。
【図１１】同上の縦断面図である。
【図１２】同上の逆止弁部を示す部分拡大断面図である。
【発明を実施するための形態】
【００１８】
次に、本発明に係る地下構造物の圧力開放装置の実施の態様を図１〜図１２に示す実施例に基づいて説明する。尚図中符号Ａは下水管路、Ｂはマンホールである。
【００１９】
マンホールＢは、図１に示すように、下端部で下水管路Ａと連通するとともに地表面に開口し、この開口部より点検・整備等のために人が出入りすることができるようになっている。
【００２０】
このマンホールＢは、ヒューム管等の円筒状のコンクリート管１，１...を上下方向に連結して形成され、その上端部を上面部が地表面に露出した露出コンクリート部２に連通させている。
【００２１】
露出コンクリート部２は、上下部が開口した角筒状に形成され、上端のコンクリート管１及びそのコンクリート管１のフランジ部１ａ周辺に矩形状に形成された無収縮モルタル３からなる載置部４上に載置されている。また、露出コンクリート部２の周辺部には、均し用のコンクリート５が打設されている。尚、図中符号４ａは載置部の基盤となる砕石層である。
【００２２】
この露出コンクリート部２は、工場で予め製造されたプレキャストコンクリートブロック２ａ〜２ｃを上下方向に並べて角筒状に形成され、コンクリート管１のフランジ部１ａに埋設されたアンカーナット６に一方の端部を螺合させたボルト７を各ブロック２ａ〜２ｃに形成された貫通孔８，８...に通すととともにそのボルト７の他方の端部をブロック２ａの上面に形成された定着用凹部９の底面にナット１０で定着させることにより各ブロック２ａ〜２ｃが連結され、且つ露出コンクリート部２がコンクリート管１上端に固定される。尚、露出コンクリート部２は、現場打ちのコンクリートにより形成するようにしてもよい。
【００２３】
この露出コンクリート部２の上面部には、地表面に開口した地表面開口部１１が形成され、この開口縁部にグレーチング等の通気性蓋体１２を支持する蓋体支持枠１３が設置され、この蓋体支持枠１３内に通気性蓋体１２を嵌め込み支持させることにより、マンホールＢの地表面開口部が通気性蓋体１２により閉鎖される。
【００２４】
通気性蓋体１２は、グレーチング等のように複数の通気孔を有する矩形状に形成され、その四隅部には、蓋体１２を枠体１３に固定するための固定板１４，１４...が形成されている。
【００２５】
蓋体支持枠１３は、中空方形状の底板部１５と、底板部１５の外側縁より上向きに立ち上げた周壁部１６とをもって構成され、図６に示すように四辺各部の断面がＬ字状を成すように形成されている。
【００２６】
底板部１５には、四辺各辺の中央部に固定用貫通孔１７が形成され、その裏側に固定用ナット１９が固定用貫通孔１７と連通するように固定されている。
【００２７】
また、周壁部１６の背面側には、間隔をおいてアンカー部材１８が溶接等により固定されており、このアンカー部材１８が角筒状ブロック２ａ成形時に内部に埋設されることにより、蓋体支持枠１３が角筒状ブロック２ａに固定される。
【００２８】
マンホール内の通気性蓋体１２下には、逆止弁を備えた圧力調整ユニット２０が配置され、この圧力調整ユニット２０によりマンホールＢ内が下水管路側と通気性蓋体側とに隔離され、通常時には、下水管路側の臭気等を遮断する一方、下水道管路側の圧力が上昇した際にはこの圧力調整ユニット２０により下水管路側の圧力を蓋体側に開放できるようになっている。
【００２９】
圧力調整ユニット２０は、ステンレス板材等の金属性板材を折り曲げ・組み立て加工することにより一体的に形成され、固定用張り出し部２１，２１...及び膨出部２２を備えて構成されている。
【００３０】
膨出部２２は、図８〜図１１に示すように、露出コンクリート部２の内縁に嵌り込む嵌合部２３と、嵌合部２３の内縁部に支持された上下方向に向けた筒状部２４と、筒状部２４の下端に支持された排水部２５とをもって構成され、嵌合部２３の上縁部に外向きに張り出して固定用張り出し部２１，２１...が形成されている。
【００３１】
この固定用張り出し部２１は、通気性蓋体１２と蓋体支持枠１３との間に挟持され、圧力調整ユニット２０を通気性蓋体１２下に取り外し可能に固定させるようになっている。
【００３２】
この固定用張り出し部２１は、細長板状に形成され、通気性蓋体１２の固定板１４の位置に合わせて貫通孔２６が形成され、固定用ボルト２７を固定板１４及び固定用張り出し部２１を通して支持枠体１３の固定用ナット１９に螺合させて締めつけることにより通気性蓋体１２及び圧力調整ユニット２０を支持枠体１３に固定するようになっている。
【００３３】
一方、固定用ボルト２７を緩めて取り外すことにより支持枠１３に対する通気性蓋体１２と圧力調整ユニット２０との双方の固定状態を解除することができ、通気性蓋体１２、圧力調整ユニット２０の順に取り外すことにより地表面開口部よりマンホールＢ内に人が出入りすることができる。
【００３４】
嵌合部２３は、前後左右の側板３０ａ〜３０ｄからなる角筒部３０と、角筒部各側板３０ａ〜３０ｄの下縁より内側に向けた前後左右の斜板３１ａ〜３１ｄからなる縮幅部３１とを以て構成され、上端側開口面積に対し下端開口面積が小さくなるように形成されている。
【００３５】
角筒部３０の各側板３０ａ〜３０ｄ内側面には、圧力調整ユニット２０を支持枠１３に着脱する際に使用する取手３２が固定されている。
【００３６】
また、縮幅部３１の左右の斜板３１ｃ、３１ｄには、マンホールＢ内の下水道管路側の圧力上昇により開き方向に動作する逆止弁３３が設けられ、下水道管路側の上昇圧力を通気性蓋体側に開放することができるようになっている。
【００３７】
筒状部２４は、前後左右の側壁板２４ａ〜２４ｄをもって、前後幅は上下に亘って同幅の平行であり、左右幅が上端側が広く下側が狭いテーパー四角筒状に形成されている。
【００３８】
前後の側壁板２４ａ，２４ｂは、前後の斜板より垂下させた向きに折り曲げた互いに平行な配置となっており、かつ上辺が長く下辺が短い左右対称な逆向きの台形状に形成されている。この前後の側壁板２４ａ，２４ｂの斜め下向きの各側縁間に左右の側壁板２４ｃ，２４ｄが連結されている。
【００３９】
左右の側壁板２４ｃ，２４ｄは、左右の斜板の内側縁より前記前後の側壁部２４ａ，２４ｂ沿った斜め下向きに折り曲げられ、その両側縁が前記前後の側壁板２４ａ，２４ｂと一体化されており、左右の側壁板２４ｃ，２４ｄ間の距離は、上端が広く下端が狭くなるように配置されている。
【００４０】
また、左右各側壁板２４ｃ，２４ｄには、マンホールＢ内の下水道管路側の圧力上昇により開き方向に動作する逆止弁３４，３４...が上下方向に間隔を置いて複数設置されている。
【００４１】
逆止弁３３，３４は、図１２に示す如き常閉型のフラップ式逆止弁を使用し、左右各側壁板２４ｃ，２４ｄ（左右各斜板）のそれぞれに、その幅方向（水平方向）に向けたスリット状の弁口用孔３５が上下配置に間隔を置いて開口されており、各弁口用孔３５の側壁板内側面の開口上縁部に蝶番３６を介して回動可能に支持されたフラップ板３７を有し、該フラップ板３７が側壁板２４ｃ，２４ｄ上に当接して各弁口用孔３５を閉じ、前記地下構造物内の下水道管路側圧力の上昇により、側壁板２４ｃ，２４ｄの内側で各フラップ板３７が上向きに開き動作されて各弁口用孔３５を開くようにしている。
【００４２】
弁口用孔３５は、左右の側壁板２４ｃ、２４ｄを斜めに向けて配置したことにより開口面積を広くとることができるようになっている。
【００４３】
フラップ板３７の内側外縁部には、ゴム製のパッキン部材３８が固定されており、弁口用孔３５を気密・液密の状態で閉鎖できるようになっている。また、蝶番３６には、復帰用ばねが設けられており、この復帰用ばねによりフラップ板３７が弁口用孔３５を塞ぐ方向に付勢されるとともにフラップ板３７の自重により、通常時にはフラップ板３７により弁口用孔３５を塞いだ状態が維持されるようになっている。
【００４４】
この筒状部２４の下端には、その前後左右の側壁板２４ａ〜２４ｂの下端を垂下方向に延長させた前後左右の側板２５ａ〜２５ｄからなる角筒状の排水部２５が形成され、この排水部２５の下端が閉鎖板４０により閉鎖されている。
【００４５】
左右の側板２５ｃ，２５ｄには、通気性蓋体１２を通じて流入した雨水等を下水道管路側に排出するための逆支弁４１が備えられている。
【００４６】
逆止弁４１は、常閉型のフラップ式逆止弁を使用し、前記排水部２５の左右各側板２５ｃ，２５ｄにその幅方向（水平方向）に向けたスリット状の弁口用孔４２が開口されており、各弁口用孔４２の側壁板外側面の開口上縁部に蝶番４３を介して回動可能に支持されたフラップ板４４により各弁口用孔４２が閉じられるようになっているとともに、通気性蓋体側からの水圧により図中仮想線で示すように開くようになっている。
【００４７】
尚、閉鎖板４０は、左側から右側に向けてやや下向きに傾けて配置され、排水部２５底部に水が滞らないようになっている。
【符号の説明】
【００４８】
Ａ 下水道管路
Ｂ マンホール
１ コンクリート管
２ 露出コンクリート部
３ 無収縮モルタル
４ 載置部
５ 均し用コンクリート
６ アンカーナット
７ ボルト
８ 貫通孔
９ 定着用凹部
１０ ナット
１１ 地表面開口部
１２ 通気性蓋体
１３ 蓋体支持枠
１４ 固定板
１５ 底板部
１６ 周壁部
１７ 固定用貫通孔
１８ アンカー部材
１９ 固定用ナット
２０ 圧力調整ユニット
２１ 固定用張り出し部
２２ 膨出部
２３ 勘合部
２４ 筒状部
２５ 排水部
２６ 貫通孔
２７ 固定用ボルト
３０ 角筒部
３１ 縮幅部
３２ 取手
３３ 逆止弁
３４ 逆止弁
３５ 弁口用孔
３６ 蝶番
３７ フラップ板
３８ パッキン部材
４０ 閉鎖板
４１ 逆止弁
【図１】
0005821144.tif 000002
【図２】
0005821144.tif 000003
【図３】
0005821144.tif 000004
【図４】
0005821144.tif 000005
【図５】
0005821144.tif 000006
【図６】
0005821144.tif 000007
【図７】
0005821144.tif 000008
【図８】
0005821144.tif 000009
【図９】
0005821144.tif 000010
【図１０】
0005821144.tif 000011
【図１１】
0005821144.tif 000012
【図１２】
0005821144.tif 000013